(57)【要約】      （修正有）【課題】小型軽量で、安価な価格の携帯型リモートブレイン端末機を提供する。【解決手段】通信部、主制御部、プログラム型Ｉ／Ｏ、バッテリー電源、Ｉ／Ｆコネクター及びアプリケーション・ソフトから構成され、通信部は、市販のカード型携帯電話を使用し、カードＢＵＳに主制御部を接続し使用。主制御部は、市販のカード型携帯電話のハード部分の制御とアプリケーション・ソフトの管理と処理機能を含む基本ソフトで構成。プログラム型Ｉ／Ｏは、外部機器の各種センサーやアクチェーター類を選択する役目を果たす。アプリケーション・ソフトは、赤外線センサーを働かせて異常を感知したら自動的に予め設定してある携帯電話番号へ異常を通知したり、電話を鳴らす。又、外部接続装置の電源のＯＮ・ＯＦＦを制御し、外部装置の作動をリモートコントロールする。【選択図】図１
2008245230.tif 000002
【特許請求の範囲】
【請求項１】
「通信部］、「主制御部」、「プログラム型Ｉ／Ｏ」、「バッテリー電源」、「Ｉ／Ｆコネクター」及び「アプリケーション・ソフト」から構成され、通信部には市販のカード型携帯電話を、そのカードＢＵＳに主制御部を接続して使用し、主制御部は、カード型携帯電話のハード部分の制御とアプリケーション・ソフトの管理と処理機能を含む基本ソフトで構成し、プログラム型Ｉ／Ｏは実際に使用する機能を選択する役目を有し、アプリケーション・ソフトは遠隔型にて各種監視機能又は外部機器制御機能を実現するソフトで有ることを特徴とする携帯型リモートブレイン端末機（以下、ＫＲＢと略称する）。
【請求項２】
該ＫＲＢは、特定の携帯電話親機又は特定のパソコン親機のいずれからかのみ制御可能なように相互にパスワード又は暗証キーが設けてあり、該特定の親機からの指示に基づいて、
▲１▼ＫＲＢのアプリケーション・ソフトの中から選択したソフトが有する機能を動作させたり、
▲２▼アプリケーション・ソフトの追加やハード部分の制御用の基本ソフトのアップグレード、
▲３▼Ｉ／Ｆコネクターのモニタリングとその制御、
▲４▼ＫＲＢから特定親機へのデータ転送
等が随時実行できる通信機能を保有し、その運用動作がＫＲＢと特定親機との連携フフトとして構築されていることを特徴とする携帯型リモートブレイン端末機。
【請求項３】
アプリケーション・ソフトは標準ソフトを初期に提供し、必要に応じてユーザーが特定親機に新規アプリケーション・ソフトをウエブサイト等からダウンロードして任意に機能を追加できるようにすることを特徴とするリモートブレイン型端末機。
【発明の詳細な説明】
【技術分野】
【０００１】  本発明は、カード型携帯電話を利用した遠隔制御が可能な多目的用途に使用できる携帯型端末機に関する。特に、市販の携帯電話又はパソコンを親機として使用し、多目的の用途に使用できる携帯型端末機に関する。
【背景技術】
【０００２】    現在市販されている携帯電話には色々な機能が内蔵されており、他携帯への緊急通報、テレビ電話等々の機能が備わっている。当然これらの機能は所有者が操作することを前提にしている。又、携帯電話を利用して特定の監視モニター、警報機本体に各種センサーを接続して、住宅への侵入監視、火災監視など各種の監視を行えるシステムが提供されているが、これらは使える機能が限定されたタイプであり、大がかりで高価な装置を導入する必要があり、簡便に利用できるものではなかった。そのために、例えば住宅の監視システムでは新築時に導入するのは良いが、既築内に新たに監視したい対象を追加するのが容易には行えないという問題があった。【０００３】  特許文献１では、センサーからのケーブル端子を接続できる入力部を有し、アナログ・デジタル変換回路、減衰回路、演算回路、警報表示部及びモデムを内蔵した携帯電話を用いて遠隔監視ができる携帯電話のアイデアが公開されている。特許文献２では、ＡＤＳＬ通信装置をセンサーと繋ぎ、インターネット通信機能を利用して予め登録されたメールアドレスへ異常情報などをメール送信するアイデアが公開されている。特許文献３では、各種電子機器がリモコン制御となっていることを利用して、制御したい装置にモデムとアダプアターを接続し、携帯電話からの信号をモデムで受信し、復調し、その信号をアダプターを介して、リモコンの制御信号へ変換することで特定の装置のリモコンを遠隔操作できるアイデアが公開されている。
しかしながら、これらいずれの場合も予め設定された機能を利用する場合には、その威力を発揮できるが、別な用途にも使いたいと考えても別のそれに合った形の別システムや装置を導入する必要があった。色々な用途に対応したソフトを準備しそれらを任意に随時切り替える事で多様な運用が簡単に利用できるリモート端末機は本発明者の知る限りにおいてはこれまで知られていない。
つまりここで云う多様な運用とは、各特許文献でそれぞれ示されている各種運用内容を、本端末機とそのソフト運用により全て対応出来る形式のものを言う。
【特許文献１】特開２００３−１４３３２２号公報
【特許文献２】特開２００６−１７８８３７号公報
【特許文献３】特開２００５−２６９５３号公報
【発明の開示】
【発明が解決しようとする課題】
【０００４】  小型軽量で、安価な価格での提供であり、各種用途への機能追加・変更が容易に行える従来にはなかった携帯型リモートブレイン端末機を提供することを課題とする。
【課題を解決するための手段】
【０００５】  本発明で提供する携帯型リモートブレインは、「通信部」、「主制御部」、「プログラム型Ｉ／Ｏ」、「バッテリー電源」、「Ｉ／Ｆコネクター」及び「アプリケーション・ソフト」から構成されています。通信部には、市販のカード型携帯電話を使用し、カードＢＵＳに主制御部を接続して使用します。「主制御部」は、市販のカード型携帯電話のハート部分の制御と「アプリケーション・ソフト」の管理と処理機能を含む基本ソフトで構成されています。「プログラム型Ｉ／Ｏ」は、外部機器の各種センサーやアクチェーター類の実際に使用する機能を選択する役目を果たします。「アプリケーション・ソフト」は携帯型リモートブレインを用いて運用すべきプログラム動作機能を実現するためのソフトを言います。具体的には、赤外線センサーのような人体センサーと組み合わせて人が住宅に侵入しようとしている場合に赤外線センサーを働かせて異常を感知したら自動的に予め設定してある携帯電話番号へ異常を通知したり、電話を鳴らしたりすることができるようなソフトが該当します。又、外部接続装置の電源のＯＮ・ＯＦＦを制御し、外部装置の作動をリモートコントロールするようなソフトも含まれます。
【発明の効果】
【０００５】  本発明の携帯型リモートコントロール端末機を用いれば安価な価格で盗難防止、火災監視、駐車場管理などの遠隔監視や外部機器の電源のＯＮ・ＯＦＦ制御などこの端末機１台で、親の携帯電話へ異常などを通知することが可能となる。システム導入後の機能の追加・変更も容易に行えるようになる。
【発明を実施するための最良の形態】
【０００６】  本発明で提供する携帯型リモートブレインは、「通信部」、「主制御部」、「プログラム型Ｉ／Ｏ」、「バッテリー電源」、「Ｉ／Ｆコネクター」及び「アプリケーション・ソフト」から構成されています。
通信部には、市販のカード型携帯電話を使用することができます。例えば、ＮＴＴドコモガ提供しているＦＯＭＡ  ＵＭ０１−ＫＯやＤｏＰａ  ＵＭ  Ｆ０１などを挙げることができます。主制御部には、ハードを制御する基本ソフトを組み込みますが基本ＯＳとしては、市販さ
2008245230.tif 000003
できます。この基本ＯＳの上に、アプレケーション・ソフトを組み込みます。赤外線センサー、窓などの開閉を感知するセンサー、火災感知センサー、監視カメラ等と組み合わせて離れた場所にて人が接近したことを感知して携帯親機に通知したり、人が建物に侵入したことを通知したりといった遠隔監視を行うことができます。外部機器との接続にて、家庭の電気製品の電源のＯＮ・ＯＦＦをすることに使用することもできます。Ｉ／Ｆコネクターは外部センサーや外部機器との接続をするためのものです。
本発明のＫＲＢを使用すると、
例１）今日は１８：００時になったら電気炊飯器と電気ストーブをＯＮし、その時の部屋の温度を知らせて下さい。そして１８：４５になったら再び部屋の温度を知らせて下さい。
これらの予約時間は随時変更可能、およびキキャンセルも可能という使い方。
例２）今から部屋にある人体検知センサーを作動させて下さい。その後不審者が部屋に侵入した時、人の侵入を直ちに親機へ通知して下さい。
例３）ガス漏れ検知器と火災報知器が作動した時は即刻親機へ何れのセンサーが作動したかを連絡下さい。その時所定のカメラを作動させ音声映像信号を録音録画しながら音声映像を親機へ送信して下さい。
例４）高齢の親が入院中に本ＫＲＢを病室に設置し、親機に送られてきた音声と映像を時々見て離れた場所にいる子供が随時状況を確認する。
例５）薬箱等にセンサーを仕込み、所定の薬の種類を所定時間に飲んだかどうかを親機から確認できる様にする。
等に使用することができます。
【産業上の利用可能性】
【０００７】  セキュリティ対策を初めとして、必要とする情報を得るための各種センサーの設置により公共施設、や産業施設で無人時間帯に於ける各種の情報収集が随時可能となる。無人時間帯に於ける施設設備等の運転開始や停止、各種センサー類の動作開始や停止、等が遠隔地点から操作できる。施設や設備の運用管理面では不審者の侵入とか、火災報知とかの一点のみの通報管理から、昼夜運転の生産工場の多種類多数の生産管理情報、や僻地や遠隔地の重要な計測情報、等ソフト次第で非常に幅広い管理能力を有する。
【図面の簡単な説明】
【０００８】
【図１】  携帯型リモートブレイン型端末機（ＫＲＢ）と外部機器と特定親機の接続を示す図
【図２】  ＫＲＢの詳細図
【図１】
2008245230.tif 000004
【図２】
2008245230.tif 000005